(57)【要約】【課題】撮影環境が暗い場合であっても表示部を確実に視認でき操作性を向上する上で有利な撮像制御装置を提供する。【解決手段】筐体３０の後部３６には操作パネル６０が設けられ、操作パネル６０には、撮像制御装置の操作を行うための複数の操作部材６２と、各操作部材６２に近接して操作部材６２の機能用途が表示された表示部６４などが設けられている。操作パネル６０は、筐体３０の後部３６に取着される基板６６と、この基板６６の上に重ねられる取り付け板６８と、この取り付け板６８の上に重ねられる印刷シート７０とで構成されている。基板６６には、複数の操作部材６２が支持されるとともに表示部６４に対応する箇所にそれぞれ光源７２が後方に向けて設けられている。光源７２は、白色の発光ダイオードで構成され、後方に向けて光を発するように基板６６に取着されている。【選択図】図１
2006295776.tif 000002
【特許請求の範囲】
【請求項１】
被写体像を撮影して撮像信号を生成するカメラ部に脱着可能に連結され前記撮像信号が入力されるとともにその撮像信号を映像信号に変換し外部装置に供給する撮像制御装置であって、
筐体と、前記筐体に設けられた操作パネルとを備え、
前記操作パネルには、前記撮像制御装置の操作を行うための複数の操作部材と、各操作部材に近接して該操作部材の機能用途が表示された表示部とが設けられ、
前記操作パネルは、前記筐体に取着される基板と、この基板の上に重ねられる取り付け板と、この取り付け板の上に重ねられる印刷シートとで構成され、
前記基板には、前記複数の操作部材が支持されるとともに前記表示部に対応する箇所にそれぞれ光源が設けられ、
前記取り付け板には、前記複数の操作部材の挿通孔がそれぞれ設けられるとともに前記各光源に対応した箇所にそれぞれ窓が形成され、
前記印刷シートには、前記複数の操作部材の挿通孔がそれぞれ設けられるとともに前記複数の窓に対応した箇所に前記表示部がそれぞれ形成されている、
ことを特徴とする撮像制御装置。
【請求項２】
前記操作パネルは前記筐体の後方に向けて配設され、前記複数の光源は該光源から発せられる光が後方に向けられるように配設されていることを特徴とする請求項１記載の撮像制御装置。
【請求項３】
前記操作パネルは前記筐体の後方に向けて配設され、前記複数の光源は該光源から発せられる光が後方に向けられるように配設され、さらに、前記基板の下部に、下方に向けて光が発せられるように手元照明用の光源が設けられ、前記取り付け板は、前記複数の操作部材の挿通孔および前記各光源に対応した窓が形成された第１板部と、前記第１板部の下部から屈曲された第２板部を有し、前記第２板部に、前記手元照明用の光源からの光を下方に通過させる手元照明用窓が設けられていることを特徴とする請求項１記載の撮像制御装置。
【請求項４】
前記手元照明用窓には光を拡散する拡散板が設けられていることを特徴とする請求項３記載の撮像制御装置。
【請求項５】
前記複数の光源の点灯および滅灯を切り換えるオンオフ手段が設けられていることを特徴とする請求項１記載の撮像制御装置。
【請求項６】
前記手元照明用の光源の点灯および滅灯を切り換えるオンオフ手段が設けられていることを特徴とする請求項３記載の撮像制御装置。
【請求項７】
前記複数の光源と前記手元照明用の光源の点灯および滅灯を切り換える切り換え手段設けられ、前記切り換え手段は、前記複数の光源と前記手元照明用の光源の双方を点灯させる状態と、前記複数の光源と前記手元照明用の光源の何れか一方を点灯させる状態と、前記複数の光源と前記手元照明用の光源の双方を滅灯させる状態とを選択的に切り換えることを特徴とする請求項３記載の撮像制御装置。
【請求項８】
前記操作パネル近傍の前記筐体の箇所に設けられ前記各操作部材を保護するガイドバーと、前記ガイドバーに設けられ物との接触を検出する接触検出手段と、前記接触検出手段による検出動作に応じて前記複数の光源の点灯を行わせる制御手段とを備えることを特徴とする請求項１記載の撮像制御装置。
【請求項９】
前記筐体の前記操作パネルの近傍箇所に設けられ前記各操作部材を保護するガイドバーと、前記ガイドバーに設けられ物との接触を検出する接触検出手段と、前記接触検出手段による検出動作に応じて前記複数の光源の点灯を行わせる制御手段とを備え、前記制御手段は前記複数の光源を所定時間点灯させた後、滅灯させることを特徴とする請求項１記載の撮像制御装置。
【請求項１０】
前記撮像制御装置の周囲の明るさを検出する明るさ検出手段と、前記明るさ検出手段の検出動作に応じて前記複数の光源の点灯を行わせる制御手段とが設けられていることを特徴とする請求項１記載の撮像制御装置。
【請求項１１】
前記複数の光源の光量を調整する光量調整手段が設けられていることを特徴とする請求項１記載の撮像制御装置。
【請求項１２】
前記手元照明用の光源の光量を調整する光量調整手段が設けられていることを特徴とする請求項３記載の撮像制御装置。
【発明の詳細な説明】
【技術分野】
【０００１】
本発明はカメラ部から供給される撮像信号を映像信号に変換する撮像制御装置に関する。
【背景技術】
【０００２】
カメラ、特に、放送局などで使用される業務用カメラとして、被写体像を撮影して撮像信号を生成するカメラ部と、前記撮像信号を映像信号に変換し外部装置であるカメラコントロールユニットに供給する撮像制御装置とを別々に設け、それらカメラ部と撮像制御装置とを脱着可能に連結したものが提供されている。
このような撮像制御装置には操作パネルが設けられ、この操作パネルには、カメラコントロールユニットを介して音声や画像のやり取りを行う際に使用される複数の操作スイッチやボリュームなどの操作部材が設けられている。
そして、操作パネルには、各操作部材に対応してその機能用途が文字などで表示された表示部が印刷されている。
このような撮像制御装置を備えるカメラを用いてスタジオや舞台の撮影、あるいは、夜間の撮影を行う場合、環境が暗いため、操作パネルの表示部を視認することが難しい。
したがって、操作パネルの表示部を畜光塗料で印刷することが提案されている（特許文献１参照）。
【特許文献１】特開平１１−１４３４１１号公報
【発明の開示】
【発明が解決しようとする課題】
【０００３】
しかしながら上述した畜光塗料を用いて印刷した場合であっても、畜光塗料が発光する時間はせいぜい１０分程度であることから、長時間暗い環境で撮影する場合、必要に応じて操作パネルの表示部を視認することが難しく操作性の向上を図る上で不利があった。
本発明はこのような事情に鑑みなされたものであり、その目的は、撮影環境が暗い場合であっても表示部を確実に視認でき操作性を向上する上で有利な撮像制御装置を提供することにある。
【課題を解決するための手段】
【０００４】
上述の目的を達成するため、本発明は、被写体像を撮影して撮像信号を生成するカメラ部に脱着可能に連結され前記撮像信号が入力されるとともにその撮像信号を映像信号に変換し外部装置に供給する撮像制御装置であって、筐体と、前記筐体に設けられた操作パネルとを備え、前記操作パネルには、前記撮像制御装置の操作を行うための複数の操作部材と、各操作部材に近接して該操作部材の機能用途が表示された表示部とが設けられ、前記操作パネルは、前記筐体に取着される基板と、この基板の上に重ねられる取り付け板と、この取り付け板の上に重ねられる印刷シートとで構成され、前記基板には、前記複数の操作部材が支持されるとともに前記表示部に対応する箇所にそれぞれ光源が設けられ、前記取り付け板には、前記複数の操作部材の挿通孔がそれぞれ設けられるとともに前記各光源に対応した箇所にそれぞれ窓が形成され、前記印刷シートには、前記複数の操作部材の挿通孔がそれぞれ設けられるとともに前記複数の窓に対応した箇所に前記表示部がそれぞれ形成されていることを特徴とする。
【発明の効果】
【０００５】
本発明によれば、スタジオや舞台、あるいは、夜間など暗い環境下において業務用カメラが使用されている場合、各表示部を複数の光源によって照明することができるので、使用者は照明された各表示部を容易に視認することができ、所望の操作部材を誤ることなく的確に操作することが可能となり、操作性を向上する上で有利となる。
【発明を実施するための最良の形態】
【０００６】
以下、本発明を、カメラが業務用カメラである場合を例にとって説明するが、本発明は業務用カメラ以外のカメラにも無論適用される。
（第１の実施の形態）
次に本発明の第１の実施の形態について図面を参照して説明する。
図６は第１の実施の形態における撮像制御装置を有する業務用カメラの右側面図、図７は同業務用カメラの左側面図、図８は図６のＡ矢視図である。
図９は第１の実施の形態における撮像制御装置の断面図である。
図１０は第１の実施の形態における撮像制御装置の斜視図、図１１は同撮像制御装置のカバーを取り外した状態を示す斜視図、図１２は図１１のＸＸ線断面図である。
図１３は第１の実施の形態における撮像制御装置のフレームの斜視図、図１４は図１３のＡ矢視図、図１５は図１３のＢ矢視図、図１６は図１３のＣ矢視図、図１７は図１３のＤ矢視図、図１８は図１３のＥ矢視図、図１９は図１３のＦ矢視図である。
図２０は撮像制御装置の右側面図、図２１は図２０のＸＸ線断面図である。
図２２（Ａ）はカバーの平面図、（Ｂ）は（Ａ）のＢ矢視図である。
図２３（Ｃ）は図２２（Ｂ）のＣ矢視図、（Ｄ）は（Ｃ）のＤ矢視図である。
図２４（Ｅ）は図２２（Ａ）のＥ矢視図、（Ｆ）は図２２（Ａ）のＦ矢視図である。
図２５はフレームの上壁における水滴の移動を示す説明図である。
【０００７】
図６乃至図８に示すように、業務用カメラ１００は、カメラ部１０と、撮像制御装置２０とを備え、カメラ部１０の後部と撮像制御装置２０の前部とは脱着可能に連結されている。
業務用カメラ１００は複数台が同時に使用されるものであり、複数台の業務用カメラ１００の各撮像制御装置２０にケーブルを介してそれぞれカメラコントロールユニットが接続され、それらカメラコントロールユニットはマスター制御装置に接続されており、各業務用カメラ１００とマスター制御装置との間で、あるいは、各業務用カメラ１００とカメラコントロールユニットとの間で映像、音声などのやり取りがなされ、また、業務用カメラ１００同士で音声のやり取りがなされるように構成されている。
カメラ部１０は、撮像素子が組み込まれた筐体１２と、筐体１２の前面に設けられ被写体を前記撮像素子に導く鏡筒１４と、筐体１２の上部に設けられた取っ手１６などを備えている。
鏡筒１４には着脱可能に交換レンズ１８が装着されている。
【０００８】
図１０、図１１に示すように、撮像制御装置２０は、筐体３０と、筐体３０に収容された電装部と、カバー５０とを備えている。
筐体３０は、上下方向の高さと前後方向の長さと左右方向の幅を有するフレーム３２と、フレーム３２に取着されるカバー部材３３（３３Ａ、３３Ｂ、３３Ｃ）とを含んで構成されている。
なお、カメラ部１０の筐体１４の下部と、撮像制御装置２０の筐体３０の下部とにわたって、肩に掛けるための上方に窪んだ凹部３１が設けられている。
図１３に示すように、フレーム３２は、前部３４と、前部３４の後端から後方に突出する後部３６と、前部３２０２の下部後端から後方に突出する下部３８とを備えている。
図９に示すように、前部３４には、電装部を構成する複数のプリント基板１０２が収容されている。
図８に示すように、後部３６が一方の側方に臨む側面箇所には前記カメラコントロールユニットに接続されるケーブル用のコネクタ１０８が設けられ、後部３６が斜め下方に臨む下面箇所には前記音声のやり取りを行うためのインカム（通話装置）を接続する２つのコネクタ１１０が設けられている。
また、後部３６には操作パネル６０が設けられ、操作パネル６０には、後述する複数の操作部材６２や表示部６４などが設けられている。
また、下部３８には、コネクタパネル１１２が設けられ、このコネクタパネル１１２には、電源を受電するためのコネクタ１１４、電源を給電するためのコネクタ１１６、画像のやり取りを行うためのコネクタ１１８、音声のやり取りを行うためのコネクタ１２０などが設けられている。
なお、前記電装部は、カメラ部１０から供給される撮像信号を映像信号、例えばコンポーネント信号（Ｙ／Ｒ−Ｙ／Ｂ−Ｙ信号）に変換し、前記カメラコントロールユニットに伝送する機能を有しており、前記映像信号は電気信号として変換される場合と光信号として変換される場合がある。
また、前記電装部は、前述した映像、音声などのやり取りを行うための機能、外部に電源を給電するための機能も有している。
【０００９】
図１０に示すように、フレーム３２の前部３４の前面には、カメラ部１０の後面に着脱可能に連結される着脱部３９が設けられている。
フレーム３２の前部３４の左右、後部３６の左右および後部３６の後面、下部３８の左右および下部３８の後面には、それぞれカバー部材３３Ａ、３３Ｂ、３３Ｃが取着されている。なお、これらカバー部材３３Ａ、３３Ｂ、３３Ｃは、一体であってもよく別体であってもよい。
【００１０】
図１１に示すように、筐体３０は、より詳細には、フレーム３２は、前部３４の上面と後部３６の上面とにわたって上方に臨む上壁４０を備えている。
カバー５０は、上壁４０に着脱可能に取着され、上壁４０に取着されることで上壁４０との間に空間Ｓを画成しつつ上壁４０を覆うように形成されている。
【００１１】
図１３、図１４、図２１に示すように、上壁４０の左右方向の中間部に、前部３４の内部および後部３６の内部に連通する複数の放熱用の通風孔４２が設けられている。
通風孔４２は断面が円形であり、上壁４０に通風孔４２の周囲を囲むように上壁４０から円筒状の起立壁４４が突設されている。
また、図１３、図１４に示すように、上壁４０には、ビューファインダーなどのアクセサリー取り付け用のボス部４６が複数突設され、ボス部４６の上端面には雌ねじ４６０２が形成されている。
また、上壁４０の四隅には、カバー取り付け用のボス部４８がそれぞれ突設され、ボス部４８の上端面には雌ねじ４８０２が形成されている。
【００１２】
図２１乃至図２４に示すように、カバー５０は通風孔４２を含む上壁４０の表面の箇所を覆う矩形状の本体壁５２と、本体壁５２の四辺から屈曲された側壁５４を有しており、前部の側壁５４は他の側壁５４よりも下方に突出して形成されている。
本体壁５２が上壁４０に臨む面（空間Ｓに臨む面）がカバー５０の内面５００２であり、内面５００２と反対側の面がカバー５０の外面５００４であり、本体壁５２は内面５００２と外面５００４との間の厚さを有している。
通風孔４２に臨む本体壁５２の部分を除いた箇所に、内面５００２と外面５００４とを連通するように放熱用の通風路５６が設けられている。
通風路５６は、図２２（Ａ）、図２３（Ｃ）に示すように、本例では、本体壁５２上を前後に延在する溝５６０１として形成され、この溝５６０１は左右に間隔をおき複数設けられている。
本例では、通風路５６は、通風孔４２の左右両側に位置するように本体壁５２の左右両端寄りの箇所においてそれぞれ左右に間隔をおき本体壁５２上を前後方向に延在する３つの溝５６０１で形成されている。
通風路５６は、図２１に示すように、筐体３０の上壁４０（内面５００２に臨む区間Ｓ）がカバー５０の外方に露出しないように屈曲した形状で形成されている。なお、通風路５６を筐体３０の上壁４０がカバー５０の外方に露出しないように湾曲した形状で形成してもよいことは無論である。
本例では、通風路５６は、カバー５０の外面５００４から内面５００２に向かって延在する上路部分５６０２と、上路部分５６０２の下端から本体壁５２の厚さ方向と直交する方向に延在する横路部分５６０４と、横路部分５６０４の下端から内面５００２に向かって延在し内面５００２に開口する下路部分５６０６とで構成され、内面５００２と外面５００４とを連通している。
【００１３】
図２１、図２３（Ｃ）に示すように、通風孔４２と通風路５６との間に位置する本体壁５２の内面５００２箇所に、上壁４０に向かって突出する水滴跳ね返り防止用壁部５８が設けられている。
本例では、本体壁５２の左右の両端寄りの箇所にそれぞれ設けられた複数の溝５６０１のうち、最も通風孔４２に近い溝５６０１が本体壁５２の内面５００２に開口される箇所で通風孔４２寄りの箇所に、本体壁５２の内面５００２から上壁４０に向かって突出する水滴跳ね返り防止用壁部５８が、最も通風孔４２に近い溝５６０１の延在方向に沿って延在形成されている。
図２２（Ａ）、図２３（Ｃ）に示すように、本体壁５２には、カバー５０を上壁４０に取り付けた状態でボス部がカバー５０の外面に露出する円形の窓５２１０が複数形成されている。
また、図１２、図２２（Ａ）に示すように、本体壁５２には、カバー５０を上壁４０に合わせた状態でボス部４８の雌ねじ４８０２に臨むようにボルト取り付け座５２１２が貫通形成されている。
図２２（Ｂ）、図２３（Ｄ）に示すように、側壁５４には、前後に間隔をおいて水抜き孔５９が複数形成されている。水抜き孔５９は切り欠きとして形成されていてもよい。
【００１４】
図１８において、符号１０４は前記電装部の一部を構成する電源を示し、符号１０６は排気ファンを示している。
電源１０４は、電装部を構成する部材、部品のうち最も発熱量が大きいものである。
排気ファン１０６は、筐体３０内の温度が上昇した際に回転駆動されるもので、排気ファン１０６の回転により外気が複数の通風路５６、空間Ｓ、複数の通風孔４２を通って筐体３０の内部に導かれ、電源１０４を含む電装部の回りを通ってそれら電装部を外気により冷却し、その外気を排気孔３５から筐体３０の外部に排出させるように構成されている。
なお、排気ファン１０６によって外気を通風路５６、空間Ｓ、通風孔４２を通して筐体３０の内部に導くようにすることで、排気ファン１０６の騒音が通風路５６、空間Ｓ、通風孔４２を通して筐体３０の上方の外部に放出され、これにより、撮像制御装置２０を肩に載せて使用している使用者の耳元に伝達されることを防止している。
【００１５】
図１０、図１２に示すように、カバー５０は、ボルト５１がボルト取り付け座５２１２を介してカバー取り付け用のボス部４８の雌ねじ４８０２に螺合されることで筐体３０の上壁４０に取着される。
図２１に示すように、カバー５０が上壁４０に取着された状態で、通風孔４２に臨む本体壁５２の部分を除いたカバー５０の箇所に通風路５６が設けられ、かつ、通風路５６は筐体３０の上壁４０がカバー５０の外方に露出しないように屈曲した形状で形成されている。
上述のように通風孔４２および通風路５６を備えれば、撮像制御装置２０を雨天などの環境下で使用し上方からカバー５０の外面に水滴が落下した場合に、水滴は、屈曲した通風路５６の箇所にいったんぶつかりその勢いが緩和された後、通風路５６を通って上壁４０に滴下され、上壁４０上に導かれる。上壁４０上に溜まった水は、カバー５０の水抜き用孔５９からカバー５０の外方へ排出される。
この際、上壁４０に滴下される水滴はその勢いが弱くなっているため、上壁４０に当たった水滴の飛まつが通風孔４２へ侵入することを防止でき、しかも、通風路５６による空気の流通が確保された状態を維持できるので、水の侵入を確実に防止しつつ筐体３０内の温度が上昇した空気を効率的に筐体３０外部に逃がす上で有利となる。
また、通風孔４２と通風路５６との間に位置する本体壁５２の内面４００２箇所に、上壁４０に向かって突出する水滴跳ね返り防止用壁部５８が設けられているので、上壁４０に滴下された水滴の飛まつが通風孔４２へ侵入することをより確実に防止することができる。
なお、水滴跳ね返り防止用壁部５８を、通風路５６が本体壁５２の内面４００２に開口される箇所で通風孔４２寄りの箇所に設ければ、上壁４０に滴下された水滴の飛まつが通風孔４２へ侵入することを防止する上でより有利となる。
また、カバー５０と通風孔４２を含む上壁４０の間に空気が流通可能なスポンジなどの吸水性部材を介在させることで、水滴の飛まつが通風孔４２に侵入することを防止する構成も考えられる。この場合には吸水性部材が吸収可能な水の量に限界があり、また、吸水性部材のコストが余分にかかるが、上記構成では、このような吸水性部材は必要とせず前記不都合はない。
【００１６】
また、上壁４０に設けた通風孔４２が円形であり、通風孔４２の周囲を囲むように円筒状の起立壁４４が上壁４０から突設されているため、図２５に示すように、筐体３０が水平状態から左右方向に傾斜した際に、図中矢印で示すように、上壁４０上面に溜まった水が起立壁４４の円筒状の外周面をその周方向に沿って円滑に移動され、水抜き用孔５９からカバー５０の外方へ排出されるため、上壁４０上面に溜まった水が起立壁４４を乗り越えて通風孔４２内に侵入することを防止する上で有利となる。
これに対して、通風孔４２が角型であり、上壁４０に通風孔４２の四辺を囲むように断面が矩形枠状の起立壁４４が形成されていた場合には、筐体３０が左右方向に傾斜した際に、上壁４０上面に溜まった水は起立壁４４の外面で停滞しやすく、停滞した水が起立壁４４を乗り越えて通風孔４２内に侵入することが懸念されるが、上記構成では、そのような不都合を確実に防止できる。
また、上記構成では、排気ファン１０６が動作しない場合には、筐体３０内で電源１０４により暖められた空気が上方に移動し通風孔４２、空間Ｓ、通風路５６を通って円滑に外部に逃げる。
一方、排気ファン１０６が動作した場合には、通風路５６、空間Ｓ、通風孔４２を通って外気が筐体３０の内部に流入する空気流れが形成されるが、この場合にも、通風路５６が筐体３０の上壁４０がカバー５０の外方に露出しないように屈曲した形状で形成され、さらに、通風孔４２と通風路５６との間に水滴跳ね返り防止用壁部５８が位置しているので、水滴の飛まつが通風孔４２へ侵入することを確実に防止することができる。
【００１７】
次に、図２５を参照して通風路の変形例について説明する。
図２６（Ａ）は通風路の変形例１の断面図、（Ｂ）は通風路の変形例２の断面図を示す。
変形例１、２では、ともに通風路５６は左右に間隔をおき前後に延在する溝により形成されている。
変形例１では、通風路５６が設けられる本体壁５２部分に、前後に延在する厚さの薄い底壁５６１２が設けられ、底壁５６１２の上方に前後に延在する帯板５６１４が設けられ、さらに、帯板５６１４の下方の底壁５６１２部分と、底壁５６１２の内側部分とにそれぞれ前後に延在する溝５６１６、５６１８が形成されている。
そして、溝の延在方向と直交する断面の形状が、帯板５６１４の左右両側においてカバー５０の外面５００４から内面５００２に向かって延在する上路部分５６０２と、帯板５６１４の下方において上路部分５６０２の下端から本体壁５２の厚さ方向と直交する方向に延在する横路部分５６０４と、横路部分５６０４の下端から内面５００２に向かって延在し内面５００２に開口する下路部分５６０６（溝５６１６、５６１８）とで構成されている。
変形例２では、通風路５６が設けられる本体壁５２部分に、前後に延在する厚さの薄い底壁５６１２が設けられ、底壁５６１２の上方に前後に延在する帯板５６１４が設けられ、帯板５６１４の下方の底壁５６１２部分に前後に延在する溝５６１６が形成されている。
さらに、帯板５６１４の下面の左右方向の中央部には下方に突出する補強リブ５６２０が帯板５６１４の長手方向に沿って延在形成され、補強リブ５６２０の下部は溝５６１６内に位置している。
そして、溝の延在方向と直交する断面の形状が、帯板５６１４の左右両側においてカバー５０の外面５００４から内面５００２に向かって延在する上路部分５６０２と、帯板５６１４の下方において上路部分５６０２の下端から本体壁５２の厚さ方向と直交する方向に延在する横路部分５６０４と、補強リブ５６２０の左右両側において横路部分５６０４の下端から内面５００２に向かって延在し内面５００２に開口する下路部分５６０６とで構成されている。
このような変形例１、２の通風路５６によっても上記と同様な効果が奏される。
【００１８】
次に、図２７を参照して起立壁４４の変形例について説明する。
図２７は通風孔４２および起立壁４４付近の断面図を示す。
この変形例に係る起立壁４４では、上壁４０から円形の通風孔４２の周囲を囲むように円筒状に突設され、さらに起立壁４４の上部外周面の全周にわたり半径方向外方に突出する環板状のフランジ４４２０が設けられている。
このような変形例の起立壁４４によれば、上記と同様な効果が奏されることは無論のこと、フランジ４４２０を備えるので、上壁４０上面に溜まった水が起立壁４４を乗り越えて通風孔４２内に侵入することを防止する上でより有利となる。
【００１９】
次に、上壁４０の上面の変形例について説明する。
図２８は上壁４０の上面の変形例の断面図である。
この変形例では、上壁４０の上面に、断面がドーム状の多数の微細な凸部４０２０を形成したものである。
この変形例によれば、通風路５６を通って上壁４０の上面上に侵入した水滴の勢いを、凸部４０２０の湾曲した面により減衰でき、上壁４０に当たった水滴の飛まつが通風孔４２へ侵入することを防止する上でより有利となる。
【００２０】
次に本発明の操作パネルの構成について、図１乃至図５、図７を参照して詳細に説明する。
図１は第１の実施形態における撮像制御装置の操作パネルの分解斜視図である。
図２（Ａ）は操作パネルを構成する基板の平面図、（Ｂ）は（Ａ）のＢ矢視図である。
図３は印刷シートの構成を示す断面図、図４は印刷シートの製造工程を示す説明図である。
図７に示すように、筐体３０の後部３６には操作パネル６０が設けられ、前述したように操作パネル６０には、撮像制御装置２０の操作を行うための複数の操作部材６２と、各操作部材６２に近接して操作部材６２の機能用途が表示された表示部６４などが設けられている。
また、操作パネル６０の上下部における後部３６部分には、複数の操作部材６２および表示部６４保護用のガイドバー３７（図５、図６参照）がそれぞれ後方に突出するように設けられている。
図７に示すように、複数の操作部材６２は、前記カメラコントロールユニットとの間で画像のやり取りを行うために操作されるＴＡＬＬＹスイッチ６２０２、ＲＥＴ１ボタン６２０４、ＲＥＴボタン６２０６、ＲＥＴ２／３／４スイッチ６２０８と、インターカムによる音声のやり取りを行うために操作されるＰＧＭ（プログラム）１／２レベル調整つまみ６２１０、ＩＮＣＯＭレベル調整つまみ６２１２、ＰＲＯＤ／ＥＮＧスイッチ６２１４、ＭＩＣ／ＬＥＶＥＬスイッチ６２１６と、後述する光源のオンオフを行うためのライトスイッチ６２１８などである。
表示部６４は、例えば、操作部材６２がＲＥＴ１ボタン６２０４である場合には、表示部６４は「ＲＥＴ１」として表示され、ＰＧＭ（プログラム）１／２レベル調整つまみ６２１０である場合には、「ＰＧＭ１」、「ＰＧＭ２」として表示され、ライトスイッチ６２１８である場合には、「ＬＩＧＨＴ」、「ＯＮ」、「ＯＦＦ」として表示される。
【００２１】
図１に示すように、操作パネル６０は、筐体３０の後部３６に取着される基板６６と、この基板６６の上に重ねられる取り付け板６８と、この取り付け板６８の上に重ねられる印刷シート７０とで構成されている。
図１、図２に示すように、基板６６には、複数の操作部材６２が支持されるとともに表示部６４に対応する箇所にそれぞれ光源７２が後方に向けて設けられている。
なお、図１において、符号６２Ａは操作部材６２の操作される箇所（レバースイッチの場合にはレバーであり、ボタンスイッチの場合はボタンであり、ボリュームの場合には回転用のつまみである）を示し、符号６２Ｂは操作部材６２の操作に応じて作動する電気接片や摺動部が収容されたケースを示している。
光源７２は、白色の発光ダイオードで構成され、後方に向けて光を発するように基板６６に取着されている。
基板６６の下部には、手元照明用の光源７４が設けられている。手元照明用の光源７４は白色の発光ダイオードで構成され、光を下方に向けて発するように基板６６に取着されている。
なお、複数の光源７２および手元照明用の光源７４の光の色は白色以外の色であってもよいことは無論である。
【００２２】
複数の光源７２と手元照明用の光源７４の点灯、滅灯の制御について図５を参照して説明する。
図５は複数の光源７２と手元照明用の光源７４の制御を行う制御部分の構成を示すブロック図である。
基板６６には、複数の光源７２と手元照明用の光源７４を制御する構成として、前記のライトスイッチ６２１８と、制御手段７６と、駆動手段７８とが設けられている。
本実施の形態では、ライトスイッチ６２１８はレバースイッチで構成され、「ＬＩＧＨＴ」、「ＯＮ」、「ＯＦＦ」の３つの切り換えがなされるように構成されている。
駆動手段７８は、複数の光源７２を点灯させるための第１の駆動信号Ｓ１と、手元照明用の光源７４を点灯させるための第２の駆動信号Ｓ２とを生成し、複数の光源７２と手元照明用の光源７４にそれぞれ供給するものである。
制御手段７６は、ライトスイッチ６２１８の切り換え動作に応じて第１、第２の駆動信号Ｓ１、Ｓ２のオン、オフを制御するものである。
このような制御手段７６、駆動手段７８は、マイクロコンピュータやデジタルＩＣを含む従来公知の様々な回路によって実現可能である。
本実施の形態では、ライトスイッチ６２１８が「ＬＩＧＨＴ」の位置に切り換えられると、制御手段７６によって駆動手段７６が制御され、第１の駆動信号Ｓ１がオフ、第２の駆動信号Ｓ２がオンとなり、複数の光源７２が同時に点灯し、手元照明用の光源７４が滅灯する。
また、ライトスイッチ６２１８が「ＯＮ」の位置に切りかえられると、制御手段７６によって駆動手段７６が制御され、第１、第２の駆動信号Ｓ１、Ｓ２の双方がオンとなり、複数の光源７２と手元照明用の光源７４の双方が同時に点灯する。
また、ライトスイッチ６２１８が「ＯＦＦ」の位置に切りかえられると、制御手段７６によって駆動手段７６が制御され、第１、第２の駆動信号Ｓ１、Ｓ２の双方がオンとなり、複数の光源７２と手元照明用の光源７４の双方が同時に滅灯する。
本実施の形態では、ライトスイッチ６２１８、制御手段７６によって特許請求の範囲の切り換え手段が構成されている。
【００２３】
図１に示すように、取り付け板６８は、基板６６に重ね合わされる第１の板部６８Ａと、第１の板部の下端から屈曲された第２の板部６８Ｂを備えている。
第１の板部６８Ａに、複数の操作部材６２の挿通孔６８０２がそれぞれ設けられるとともに複数の光源７２に対応した箇所に各表示部６４に対応した大きさ、形状の窓６８０４がそれぞれ形成されている。
第２の板部６８Ｂには、手元照明用の光源７４に対応した箇所に手元照明用窓６８０６が形成され、手元照明用窓６８０６には光を拡散する拡散板６８０７が設けられている。
また、第２の板部６８Ｂには、前述したインカム接続用の２つのコネクタ１１０の挿通孔６８０８がそれぞれ設けられている。
【００２４】
図１に示すように、印刷シート７０には、複数の操作部材６２の挿通孔７００２がそれぞれ設けられるとともに複数の窓６８０４に対応した箇所に前記の表示部６４がそれぞれ形成されている。
図３に示すように、印刷シート７０は、透明基板７０１０に４層の印刷層７０１２、７０１４、７０１６、７０１８が積層して印刷されることで構成された多層印刷シートである。
透明基板７０１０は厚さ方向の一方の面が表面７０１０Ａ、他方の面が背面７０１０Ｂとして構成されている。
【００２５】
印刷シート（多層印刷シート）７０は次のように製造される。
まず、図３に示すように、透明基板７０１０の背面７０１０Ｂに第１の印刷層７０１２を形成する。
図４（Ａ）に示すように、第１の印刷層７０１２は、白色塗料によって形成される枠７０１２Ａ、各挿通孔７００２の位置を示すマーク７０１２Ｂなどを有している。
次に、図３に示すように、第２の印刷層７０１４を第１の印刷層７０１２の上に重ねて形成する。
図４（Ｂ）に示すように、第２の印刷層７０１４は、光を透過しない不透明な塗料、本実施の形態では黒色の不透明な塗料によって、表示部６４を除く背面７０１０Ｂの全域を覆うように、より詳細には、表示部６４をなす操作部材６２の機能用途の表示を除く背面７０１０Ｂの全域を覆うように矩形に構成されている。
したがって、表示部６４は、第２の印刷層７０１４に透明ないわゆる抜き文字として形成されることになる。
【００２６】
次に、図３に示すように、第３の印刷層７０１６を第２の印刷層７０１４の上に重ねて形成する。
図４（Ｃ）に示すように、第３の印刷層７０１６は、光を透過する不透明な塗料、本実施の形態では白色の不透明な塗料によって、第２の印刷層７０１４の内側に位置するように第２の印刷層７０１４よりも小さい矩形の輪郭で全ての表示部６４を含む領域を覆うように構成されている。なお、第３の印刷層７０１６は、本実施の形態では、全ての表示部６４の部分を含む領域を覆うように構成されているが、各表示部６４のみをそれぞれ覆うものであってもよい。
次に、図３に示すように、第４の印刷層７０１８を第３の印刷層７０１６の上に重ねて形成する。
図４（Ｄ）に示すように、第４の印刷層７０１８は、光を透過する不透明な塗料、本実施の形態では橙色の不透明な塗料によって、最上位の表示部６４を除く残りの全ての表示部６４を覆う矩形の輪郭で構成されている。したがって、第３の印刷層７０１８の背面の最上部には、第４の印刷層７０１８が形成されていない領域が存在する。
なお、透明基板７０１０の表面７０１０Ａに印刷層を形成すると、表面７０１０Ａに物があたって印刷層が剥がれる不具合が生じるが、実施の形態のように印刷シート７０の背面７０１０Ｂに全ての印刷層を形成することで前記の不具合を解消できる利点がある。
【００２７】
次に、印刷シート７０における表示部６４の表示について説明する。
印刷シート７０は、図３に示すように、第４の印刷層７０１８が取り付け板６８に重ねられて取着される。
透明基板７０１０の背面７０１０Ｂ側で、第４の印刷層７０１８が形成されている領域に臨む箇所に位置する光源７２が点灯した場合には、光源７２の光は、取り付け板６８の窓６８０２を通り、第４の印刷層７０１８を通過することで橙色となり、第３の印刷層７０１６を経て第２の印刷層７０１４の表示部６４を通り、第１の印刷層７０１２、透明基板７０１０を通過して表面７０１０Ａから後方に向けて橙色の光が照射される。
したがって、透明基板７０１０の後方から、すなわち、筐体３０の後方から操作パネル６０を見ると、表示部６４が橙色の光で発光した状態で視認されることになる。
また、第４の印刷層７０１８が形成されていない領域、すなわち第３の印刷層７０１６に臨む箇所に位置する光源７２が点灯した場合には、光源７２の光は第３の印刷層７０１６を通過することで白色となり、第２の印刷層７０１４の表示部６４、第１の印刷層７０１２、透明基板７０１０を通過して白色の光が後方に照射される。
したがって、透明基板７０１０の後方から、すなわち、筐体３０の後方から操作パネル６０を見ると、表示部６４が白色の光で発光した状態で視認されることになる。
また、光源７２が滅灯し、かつ、筐体３０の後方が明るい環境下では、外光が透明基板７０１０の表面７０１０Ａ側から背面７０１０Ｂに向かって進行し、第１の印刷層７０１２を通過して第２の印刷層７０１４の表示部６４を通過し第３の印刷層７０１６に至る。
ここで、第３の印刷層７０１６で反射された光は白色となり、再び、第２の印刷層７０１４の表示部６４の部分、第１の印刷層７０１２、透明基板７０１０を通過して表面７０１０Ａから後方に至る。
したがって、筐体６０の後方から操作パネル６０を見ると、表示部６４が白色の光で反射した状態で視認されることになる。
【００２８】
次に本実施の形態による作用効果について説明する。
スタジオや舞台、あるいは、夜間など暗い環境下において業務用カメラ１００が使用されている場合、ライトスイッチ６２１８を「ＬＩＧＨＴ」に切り換えると、複数の光源７２が点灯し、手元照明用の光源７４が滅灯する。これにより各表示部６４が複数の光源７２によって照明され、使用者は照明された各表示部６４を容易に視認することができ、所望の操作部材６２を誤ることなく的確に操作することが可能となり、操作性を向上する上で有利となる。
また、ライトスイッチ６２１８を「ＯＮ」に切り換えると、複数の光源７２と手元照明用の光源７４の双方が点灯する。これにより各表示部６４が照明されることに加えて、手元照明用の光源７４の光が手元照明用窓６８０６の拡散板６８０７を通過して操作パネル６０の下方に向けて拡散された状態で照射されるため、使用者の手元を明るく照らすことができ、暗い環境下であっても台本などの書類や時計などを容易に視認することができ業務用カメラ１００の利便性を向上する上で有利となる。
また、ライトスイッチ６２１８を「ＯＦＦ」に切り換えると、複数の光源７２と手元照明用の光源７４の双方が滅灯する。これにより各表示部６４および拡散板６８０７の部分が暗くなるため、暗い環境下においてなるべく光を発生させたくない場合に有利となる。
また、昼間の屋外など明るい環境下で業務用カメラ１００が使用されている場合には、ライトスイッチ６２１８を「ＯＦＦ」に切り換えて複数の光源７２と手元照明用の光源７４の双方を滅灯すれば、前記したように各表示部６４が外光により白色で表示され表示部６４の視認が容易となる。したがって、明るい環境下では、複数の光源７２と手元照明用の光源７４に対する第１、第２の駆動信号Ｓ１、Ｓ２の供給をオフとして電力消費を抑制しつつ、表示部６４の視認性を確保することができ有利となる。
また、従来のように、操作パネルの表示部を畜光塗料で印刷した場合には、表示部が所定時間発光し続けた状態となる。したがって、コンサートホールやテレビスタジオなどでの撮影において発光した表示部が業務用カメラ１００の後方にいる観客の視野に入るなどして鑑賞の妨げになるおそれがある。特に業務用カメラ１００の移動や方向転換に伴い発光した表示部が断続的に観客の視野に入ると、あたかも光が点滅しているかのようになり目障りとなる。
これに対して本実施の形態では、ライトスイッチ６２１８を設けることにより撮影状況や撮影環境に応じて表示部６４の複数の光源７２と手元照明用の光源７４を適宜点灯、滅灯できるので、表示部６４の光が観客の鑑賞の妨げになることを確実に防止することができ有利である。
【００２９】
なお、本実施の形態では、複数の光源７２が点灯し、手元照明用の光源７４が滅灯する状態と、複数の光源７２と手元照明用の光源７４の双方が点灯する状態と、複数の光源７２と手元照明用の光源７４の双方が滅灯する状態とを選択的に切り換えるようにした場合について説明したが、複数の光源７２と手元照明用の光源７４の点灯、滅灯の組み合わせは、本実施の形態に限定されるものではない。
例えば、複数の光源７２をオフ、手元照明用の光源７４をオンとする組み合わせを追加すれば、表示部６４の照明をしない状態で手元の照明のみ行うことができる。
また、複数の光源７２と手元照明用の光源７４の双方をオンする組み合わせに代えて、光源７２をオフ、光源７４をオンとする組み合わせを採用してもよい。
また、複数の光源７２の点灯、点滅を切り換えるオンオフ手段と、手元照明用の光源７４の点灯、点滅を切り換えるオンオフ手段を設けてもよい。
【００３０】
また、本実施の形態において、暗い環境下において複数の光源７２と手元照明用の光源７４の双方がオフの状態であった場合には、ライトスイッチ６２１８の位置を見出すことが難しい。
したがって、ガイドバー３７に物（人）との接触を検出するタッチセンサ（特許請求の範囲の接触検出手段に相当）を設け、このタッチセンサの検出信号を制御手段７６（特許請求の範囲の制御手段に相当）に供給し、制御手段７６がタッチセンサの検出信号に基づいて光源７２に第１の駆動信号Ｓ１を供給するように構成してもよい。
この場合、ガイドバー３７は操作パネル６０の上下部における後部３６から後方に突出しているのでガイドバー３７を暗い環境下において手探りで触ることは容易であり、暗い環境下であっても容易に表示部６４を照明して視認でき有利である。
なお、ガイドバー３７を触ったときに第１の駆動信号Ｓ１を複数の光源７２に継続的に供給してもよいし、所定時間（例えば１０秒程度）だけ第１の駆動信号Ｓ１を複数の光源７２に供給し、前記所定時間が経過したら第１の駆動手段Ｓ１の供給を停止するようにしてもよい。この場合には、複数の光源７２が点灯している間にライトスイッチ６２１８の操作を行うことができる。
【００３１】
また、撮像制御装置２０に周囲の明るさを検出する光センサ（特許請求の範囲の明るさ検出手段に相当）を設け、この光センサの検出信号を図５における制御手段７６に供給し、制御手段７６がセンサの検出信号に基づいて前記明るさが所定の明るさ以下となったと判定したならば、複数の光源７２に第１の駆動信号Ｓ１を供給するように構成してもよい。前記所定の明るさは、例えば表示部６４を視認することが難しい程度の明るさに設定される。
このような構成によれば、暗い環境下においては人間による操作を行うことなく自動的に表示部６４の照明を行うことができ、利便性を向上させる上でより有利となる。
【００３２】
また、複数の光源７２と手元照明用の光源７４の光量を調整する光量調整手段を設けてもよい。このような光量調整手段による光量の調整は、例えば、駆動手段７８から複数の光源７２と手元照明用の光源７４に供給する第１、第２の駆動信号Ｓ１、Ｓ２の双方あるいは一方の大きさを調整することで行うことができる。
光量調整手段は、前記の操作部材６２と同様の操作部材（操作スイッチや操作つまみ）を有し、その操作部材を例えば操作パネル６０に設けてもよく、その操作部材の操作によって光量を調整するように構成される。
このような光量調整手段を設けた場合には、複数の光源７２と手元照明用の光源７４の光量を調整することで使用者が表示部６４や手元の物を視認しやすくすることができる。
【図面の簡単な説明】
【００３３】
【図１】第１の実施形態における撮像制御装置の操作パネルの分解斜視図である。
【図２】（Ａ）は操作パネルを構成する基板の平面図、（Ｂ）は（Ａ）のＢ矢視図である。
【図３】印刷シートの構成を示す断面図である。
【図４】印刷シートの製造工程を示す説明図である。
【図５】複数の光源７２と手元照明用の光源７４の制御を行う制御部分の構成を示すブロック図である。
【図６】第１の実施の形態における撮像制御装置を有する業務用カメラの右側面図である。
【図７】同業務用カメラの左側面図である。
【図８】図５のＡ矢視図である。
【図９】第１の実施の形態における撮像制御装置の断面図である。
【図１０】第１の実施の形態における撮像制御装置の斜視図である。
【図１１】同撮像制御装置のカバーを取り外した状態を示す斜視図である。
【図１２】図１１のＸＸ線断面図である。
【図１３】第１の実施の形態における撮像制御装置のフレームの斜視図である。
【図１４】図１３のＡ矢視図である。
【図１５】図１３のＢ矢視図である。
【図１６】図１３のＣ矢視図である。
【図１７】図１３のＤ矢視図である。
【図１８】図１３のＥ矢視図である。
【図１９】図１３のＦ矢視図である。
【図２０】撮像制御装置の右側面図である。
【図２１】図２０のＸＸ線断面図である。
【図２２】（Ａ）はカバーの平面図、（Ｂ）は（Ａ）のＢ矢視図である。
【図２３】（Ｃ）は図２２（Ｂ）のＣ矢視図、（Ｄ）は（Ｃ）のＤ矢視図である。
【図２４】（Ｅ）は図２２（Ａ）のＥ矢視図、（Ｆ）は図２２（Ａ）のＦ矢視図である。
【図２５】フレームの上壁における水滴の移動を示す説明図である。
【図２６】（Ａ）は通風路の変形例１の断面図、（Ｂ）は通風路の変形例２の断面図を示す。
【図２７】通風孔４２および起立壁４４付近の断面図である。
【図２８】上壁４０の上面の変形例の断面図である。
【符号の説明】
【００３４】
２０……撮像制御装置、３０……筐体、６０……操作パネル、６２……操作部材、６４……表示部、６６……基板、６８……取り付け板、７０……印刷シート、７２……光源、７４……手元照明用の光源、６８０２……挿通孔、６８０４……窓、７００２……挿通孔。
【図１】
2006295776.tif 000003
【図２】
2006295776.tif 000004
【図３】
2006295776.tif 000005
【図４】
2006295776.tif 000006
【図５】
2006295776.tif 000007
【図６】
2006295776.tif 000008
【図７】
2006295776.tif 000009
【図８】
2006295776.tif 000010
【図９】
2006295776.tif 000011
【図１０】
2006295776.tif 000012
【図１１】
2006295776.tif 000013
【図１２】
2006295776.tif 000014
【図１３】
2006295776.tif 000015
【図１４】
2006295776.tif 000016
【図１５】
2006295776.tif 000017
【図１６】
2006295776.tif 000018
【図１７】
2006295776.tif 000019
【図１８】
2006295776.tif 000020
【図１９】
2006295776.tif 000021
【図２０】
2006295776.tif 000022
【図２１】
2006295776.tif 000023
【図２２】
2006295776.tif 000024
【図２３】
2006295776.tif 000025
【図２４】
2006295776.tif 000026
【図２５】
2006295776.tif 000027
【図２６】
2006295776.tif 000028
【図２７】
2006295776.tif 000029
【図２８】
2006295776.tif 000030